(57)【要約】【課題】プランターに設けるヒータに容易に給電でき、作物近傍の気温及び土温を局所的に調節できる移動栽培装置を提供する。【解決手段】ハウス８内に設けられ、搬送装置２０Ａ・２０Ｂ・４０Ａ・４０Ｂによって複数の栽培ベンチ１０・１０・・・を循環搬送させる移動栽培装置１であって、前記栽培ベンチ１０にはイチゴ３を栽培するプランター２が載置され、該プランター２には、イチゴ３のクラウン部近傍を加温するヒータ３０が敷設され、該ヒータ３０の一端は給電部３２と接続され、該給電部３２はハウス８内に架設した給電ケーブル３６から給電可能に構成される。【選択図】図３
2015181377.tif 000002
【特許請求の範囲】
【請求項１】
ハウス内に設けられ、搬送装置によって複数の栽培ベンチを循環搬送させる移動栽培装置であって、前記栽培ベンチには作物を栽培するプランターが載置され、該各プランターには、作物近傍を加温するヒータが敷設され、該ヒータの一端は給電部と接続され、該給電部はハウス内に架設した給電ケーブルから給電可能に構成されることを特徴とする移動栽培装置。
【請求項２】
前記給電部には給電ケーブルに接触して電力が供給される集電子と、該集電子を給電ケーブル側に付勢する押圧体とを備えることを特徴とする請求項１に記載の移動栽培装置。
【請求項３】
前記給電部には受電コイルが設けられ、給電ケーブルにおける栽培ベンチの停止位置に、受電コイルと対向する位置に送電コイルが配置され、非接触で給電可能としたことを特徴とする請求項１に記載の移動栽培装置。
【発明の詳細な説明】
【技術分野】
【０００１】
本発明は、移動栽培装置において、循環させるプランターの表土付近を加温するための技術に関する。
【背景技術】
【０００２】
従来からイチゴのクラウン部の周辺を温めて、草丈を大きくし、葉を大きくする技術が公知となっている。例えば、特許文献１の技術である。
特許文献１の技術は、植物の形状に合わせて容易に巻きつけられるようにし、曲げても断線の発生がなく均一な温度が得られ、任意の大きさに製作でき、使用後は簡単に巻き取れ、作業性，安全性，経済性に優れる長尺金属箔ヒータとする技術である。しかし、この技術の場合、栽培ベンチにイチゴを移植したプランターを載置し、栽培ベンチを循環させるような移動栽培装置に前記技術を適用するとなると、ベンチ毎に配置したヒータと給電線との接続が難しく、破断や断線のおそれがあった。
【先行技術文献】
【特許文献】
【０００３】
【特許文献１】特開２０１１−１９２５６６号公報
【発明の概要】
【発明が解決しようとする課題】
【０００４】
移動栽培装置における栽培ベンチにヒータを敷設し、該ヒータの一端に給電部を設けて、給電線から電力を供給できるようにし、移動栽培装置におけるヒータの制御を容易にできるようにする。
【課題を解決するための手段】
【０００５】
本発明の請求項１における移動栽培装置は、ハウス内に設けられ、搬送装置によって複数の栽培ベンチを循環搬送させる移動栽培装置であって、前記栽培ベンチには作物を栽培するプランターが載置され、該各プランターには、作物近傍を加温するヒータが敷設され、該ヒータの一端は給電部と接続され、該給電部はハウス内に架設した給電ケーブルから給電可能に構成されるものである。
【０００６】
請求項２においては、前記給電部には給電ケーブルに接触して電力が供給される集電子と、該集電子を給電ケーブル側に付勢する押圧体とを備えるものである。
【０００７】
請求項３においては、前記給電部には受電コイルが設けられ、給電ケーブルにおける栽培ベンチの停止位置に、受電コイルと対向する位置に送電コイルが配置され、非接触で給電可能としたものである。
【発明の効果】
【０００８】
以上のような手段を用いることにより、移動栽培装置における作物近傍、及び、土温（プランター内の温度）を温めることが可能となり、気温が低い季節において成長を促進できるようになり、移動する栽培ベンチに所定の電力を供給して温めることができる。
【図面の簡単な説明】
【０００９】
【図１】移動栽培装置の斜視図。
【図２】栽培ベンチの斜視図。
【図３】栽培ベンチでイチゴを栽培している状態を示す斜視図。
【図４】同じく一部正面断面図。
【図５】同じく一部側面断面図。
【図６】他の実施形態の給電部を示す斜視図。
【発明を実施するための形態】
【００１０】
以下では、図１を参照して、本発明に係るイチゴのクラウン部を温めるためのヒータ３０を備える移動栽培装置１について説明する。図１、図２、図３に示す如く、移動栽培装置１は野菜を栽培するプランター２、プランター２を載置して移動可能とする栽培ベンチ１０・１０・・・、栽培ベンチ１０・１０・・・を搬送する第一縦搬送装置２０Ａ、第二縦搬送装置２０Ｂ、第一横搬送装置４０Ａ、第二横搬送装置４０Ｂ、防除装置５２、薬液供給装置５３、図示しない水供給装置、搬送装置や防除装置等を制御する制御ユニット７０、及び、これらを覆うハウス８を具備する。なお、移動栽培装置１は水耕栽培、高設栽培に適用可能である。
【００１１】
一対の第一横搬送装置４０Ａと第二横搬送装置４０Ｂは、前後方向に間隔を空けた状態で、互いに平行に配置される。第一横搬送装置４０Ａ・第二横搬送装置４０Ｂは、栽培ベンチ１０の搬送方向が互いに平行になるように配置される。
第一横搬送装置４０Ａ・第二横搬送装置４０Ｂは、栽培ベンチ１０を左右方向に搬送し、かつ、互いに逆向きに搬送する。
【００１２】
一対の第一縦搬送装置２０Ａと第二縦搬送装置２０Ｂは、第一横搬送装置４０Ａと第二横搬送装置４０Ｂの間に設けられ、左右方向に間隔を空けた状態で、互いに平行に配置される。第一縦搬送装置２０Ａ・第二縦搬送装置２０Ｂは、栽培ベンチ１０を前後方向に案内する。
【００１３】
第一縦搬送装置２０Ａは、第一横搬送装置４０Ａの下流部と第二横搬送装置４０Ｂの上流部の間に設けられ、第一横搬送装置４０Ａの下流部から第二横搬送装置４０Ｂの上流部に栽培ベンチ１０を案内する。
第二縦搬送装置２０Ｂは、第二横搬送装置４０Ｂの下流部と第一横搬送装置４０Ａの上流部の間に設けられ、第二横搬送装置４０Ｂの下流部から第一横搬送装置４０Ａの上流部に栽培ベンチ１０を案内する。
【００１４】
第一横搬送装置４０Ａ・第二横搬送装置４０Ｂと第一縦搬送装置２０Ａ・第二縦搬送装置２０Ｂは、複数の栽培ベンチ１０を循環搬送するために閉ループ状に構成されている。栽培ベンチ１０は、第一横搬送装置４０Ａ→第一縦搬送装置２０Ａ→第二横搬送装置４０Ｂ→第二縦搬送装置２０Ｂ→第一横搬送装置４０Ａ→・・・、の順に循環搬送される。
【００１５】
以下では、栽培ベンチ１０について説明する。
図２に示すように、栽培ベンチ１０は、上向きの開口を有し、横長の容器であるプランター２と、プランター２が収容される横長箱枠状のフレーム枠１１と、を備える。プランター２は栽培用の土を収容するものであり、その底面には余分な水分及び薬液を外部に排出する排出孔が形成される。プランター２上面の前後縁部には、フレーム枠１１の上面側を構成する左右横長のアッパーフレーム１２に係合する係止片部（不図示）が形成されている。前記係止片部をアッパーフレーム１２に引っ掛り係合させることによって、プランター２が栽培ベンチ１０に支持されている。
【００１６】
栽培ベンチ１０のフレーム枠１１の下面側を構成する左右横長のロワフレーム１８には、栽培ベンチ１０を第一縦搬送装置２０Ａ・第二縦搬送装置２０Ｂ上で摺動させる摺動体としての車輪１３が二個一組の計四組取り付けられている。四組の車輪１３は、第一縦搬送装置２０Ａ（第二縦搬送装置２０Ｂ）の案内レール３５・３５の幅に合わせた間隔で、栽培ベンチ１０の横方向に並べて配置されている。なお、摺動体は、車輪１３に限定されず、コロ、スライダー、ローラ等であってもよい。ロワフレーム１８の上面側には、プランター２下面の排出孔から排出される余分な水及び薬液を回収する受け桶１４が取り付けられている。各栽培ベンチ１０の受け桶１４に集められた水及び薬液は、第二縦搬送装置２０Ｂ・第二縦搬送装置２０Ｂの長手方向（縦方向）に沿って延びる回収桶に回収される。
【００１７】
栽培ベンチ１０において、前側のロワフレーム１８の長手中途部には当接フレーム１９が固定されている。当接フレーム１９は、上面視コ字上に形成され、ロワフレーム１８から前方に突出している。当接フレーム１９先端の横パイプ部１９ａは、第一縦搬送装置２０Ａ・第二縦搬送装置２０Ｂ上で、前方に存在する栽培ベンチ１０のロワフレーム１８に当接可能に構成される。これにより、第一縦搬送装置２０Ａ・第二縦搬送装置２０Ｂ上で、前後に隣り合う栽培ベンチ１０・１０の前後間隔が確保される。
【００１８】
防除装置５２は第二横搬送装置４０Ｂの左右方向における略中央部に配置され、防除剤（植物の病害および虫害を防止する薬剤）を散布する。薬液供給装置５３は第二横搬送装置４０Ｂの左右方向における略中央部に配置される。
ハウス８は、木材または鋼材で躯体を形成し、この躯体を合成樹脂フイルムで覆って、または、ガラスや透明樹脂板等で覆って小屋を形成し、降雨や風を避け、保温や加温を行えるようにしている。
【００１９】
プランター２は植物（野菜）を栽培するための容器である。図２に示す如く、プランター２の外形は縦方向に短く、横方向に長い形状を有する。より詳細には、プランター２の外形は概ねその上面に比べて下面の縦方向および横方向における長さが小さい四角錐台形状であり、プランター２の内部には空間が形成される。プランター２の内部に形成される空間には培土が収容され、当該培土に野菜（イチゴ）が植えられる。なお、本実施形態のプランター２はイチゴ３（図３）を栽培する用途に用いられ、ヒータ３０によりクラウン部３ａ近傍が加温される。
【００２０】
図３、図４、図５において、ヒータ３０は、イチゴ３のクラウン部３ａを温めるものである。クラウン部とはイチゴの茎の根茎部分のことである。このクラウン部分を温めることにより、草丈を伸ばし、葉を大きくすることができ、それに伴って花房を早く出させることができる。但し、ヒータ３０は地中に埋設して、培土を加温する構成であってもよい。
【００２１】
ヒータ３０は、平面視Ｕ字状に構成されており、左右方向に並べて植え付けられたイチゴ３・３・・・のクラウン部を周回するように配置される。但し、ヒータ３０は電力を供給することにより加温できるものであれば、シーズヒータやセラミックヒータ等限定するものではない。
【００２２】
ヒータ３０の端部にはリード線３１が接続されてプランター２の外部に延出され、リード線３１の他端は給電部３２の集電子３４と接続されている。給電部３２は給電ケーブル３６から電力を供給する部分であり、支持体３３と押圧体３７と集電子３４を備える。
【００２３】
支持体３３は前記アッパーフレーム１２から側方に突設され、支持体３３上に押圧体３７を介して集電子３４が取り付けられる。押圧体３７は集電子３４を上方（給電ケーブル３６が下方に配設される場合は下方）に押圧するものであり、バネを収納したシリンダやパンタグラフ等で構成される。集電子３４は給電ケーブル３６と接して電力を供給できるようにしている。
【００２４】
給電ケーブル３６は第一縦搬送装置２０Ａと第二縦搬送装置２０Ｂの側部に前後方向に架設され、給電ケーブル３６の端部は制御ユニット７０と接続されている。制御ユニット７０では給電ケーブル３６への電力供給を制御し、設定時間になり、設定温度以下であると、電力を供給し、設定温度となるように制御ユニット７０で制御している。なお、手動操作でも電力を供給することも可能としている。
【００２５】
こうして、設定時間となって制御ユニット７０から給電ケーブル３６に所定の電力が供給されると、給電部３２を介してヒータ３０に通電され、イチゴ３のクラウン部を温めるようにしている。通常、夜間に気温が低下するので、夜間に電力を供給して温める。また、栽培ベンチ１０は、設定時間毎に移動されるが、集電子３４は押圧体３７により常時給電ケーブル３６と接触するように付勢されているため、電力供給が途切れることなく確実に電力を供給して温めることができる。
【００２６】
以上のように、ハウス８内に設けられ、搬送装置２０Ａ・２０Ｂ・４０Ａ・４０Ｂによって複数の栽培ベンチ１０・１０・・・を循環搬送させる移動栽培装置１であって、前記栽培ベンチ１０にはイチゴ３を栽培するプランター２が載置され、該プランター２には、イチゴ３のクラウン部近傍を加温するヒータ３０が敷設され、該ヒータ３０の一端は給電部３２と接続され、該給電部３２はハウス８内に架設した給電ケーブル３６から給電可能に構成されるので、移動栽培装置１における作物となるイチゴの近傍、及び、土温（プランター内の培土）を温めることが可能となり、気温が低い季節において成長を促進できるようになる。そして、給電ケーブル３６からヒータ３０に常時給電できて、移動する栽培ベンチに途切れることなく電力を供給して温めることができる。また、電力を調節することで、容易に温度管理もできるようになる。
【００２７】
また、前記給電部３２には給電ケーブル３６に接触して電力が供給される集電子３４と、該集電子３４を給電ケーブル３６側に付勢する押圧体３７とを備えるので、集電子３４と給電ケーブル３６が常時接触させることができ、電力の供給が途切れることなく安定してヒータ３０に給電して温めることができる。
【００２８】
また、給電ケーブル３６と給電部３２との間は非接触により電力を供給することも可能である。つまり、図６に示すように、給電部３２の支持体３３には受電コイル３８が設けられ、該受電コイル３８はリード線３１と接続されている。前記給電ケーブル３６には栽培ベンチ１０が停止する位置に合わせて前記支持体３３（給電部３２）の下方（または上方）に所定空間を空けて送電コイル３９が設けられ、該送電コイル３９は給電ケーブル３６と接続されている。
【００２９】
こうして、設定時間に制御ユニット７０から給電ケーブル３６に所定の電力が供給されると、送電コイル３９、受電コイル３８を介してヒータ３０に電力が供給され、イチゴ３のクラウン部３ａを温めるようにしている。
【００３０】
以上のように、前記給電部３２には受電コイル３８が設けられ、給電ケーブル３６における栽培ベンチ１０の停止位置に、受電コイル３８と対向する位置に送電コイル３９が配置され、非接触で給電可能としたので、集電子３４をなくすことができ、給電ケーブル３６の導線がむき出しとならず、感電のおそれがなくなり、安全に作業ができ、メンテナンス作業も軽減できる。
【符号の説明】
【００３１】
１    移動栽培装置
２    プランター
３    イチゴ
８    ハウス
１０  栽培ベンチ
３０  ヒータ
３２  給電部
３６  給電ケーブル
【図１】
2015181377.tif 000003
【図２】
2015181377.tif 000004
【図３】
2015181377.tif 000005
【図４】
2015181377.tif 000006
【図５】
2015181377.tif 000007
【図６】
2015181377.tif 000008